(57)【要約】      （修正有）【課題】マスクを装着したときに、口からの吐気が鼻からの吸気に混じって肺に入るのを防止すると共に、鼻の上部から吐気が漏れて眼鏡が曇るのを抑止することが可能な吐気呼気分離具及びそれが装着されたマスクを提供する。【解決手段】船の形をなし、装着するマスクと上唇との間に挟装して、口からの吐気が鼻からの吸気に混じるのを防止する吐気呼気分離具であって、装着したとき、吐気呼気分離具が上唇に当接する位置に接合されている。【選択図】図１
0003229397.tif 000002
【実用新案登録請求の範囲】
【請求項１】
船の形をなし、装着するマスクと上唇との間に挟装して、口からの吐気が鼻からの吸気に混じるのを防止することを特徴とする吐気呼気分離具。
【請求項２】
前記船の形は、切り開いた紙パック又はカートン紙を所定の形に切断して折畳み、折端を所定の切り込み口に差し込んで形成され、船首と船尾が上を向き、湾曲面をなした甲板部分が柔軟部材で覆われたものであって、船底部分を前記マスクに接着し、該甲板部分が前記上唇に当接するように挟装することを特徴とする請求項１記載の吐気呼気分離具。
【請求項３】
前記船の形は、発泡スチロール又はスポンジで成形され、船首と船尾が上を向き、甲板部分が湾曲面をなしたものであって、船底部分を前記マスクに接着若しくは逢着し、該甲板部分が前記上唇に当接するように挟装することを特徴とする請求項２記載の吐気呼気分離具。
【請求項４】
前記船は、船首側と船尾側が開口した中空の船腹部を有し、香料を滲み込ませた軟質部材が収容されることを特徴とする請求項２記載の吐気呼気分離具。
【請求項５】
装着したとき、請求項１記載の吐気呼気分離具が上唇に当接する位置に接合されていることを特徴とするマスク。
【請求項６】
前記吐気呼気分離具は、所定の大きさの船底部分と曲面をなした甲板部分とを有するものであって、該甲板部分が前記上唇に当接するように該船底部分を接着又は逢着することとにより接合されたことを特徴とする請求項５記載のマスク。
【考案の詳細な説明】
【技術分野】
【０００１】
本考案は、マスクを装着したときに、口からの吐気が鼻からの吸気に混じるのを防止すると共に、口からの吐気が鼻の上部から漏れ、眼鏡が曇るのを抑止する吐気呼気分離具及びそれが装着されたマスクに関するものである。
【背景技術】
【０００２】
現在、感染症を防止する手段としてマスクが必須のアイテムとなっているが、マスクを装着すると肺からの暖かく湿った排気空気（吐気）がマスクと顔との空間に残留し、鼻から息を吸う（吸気）際、新鮮な空気にその暖かく湿った吐気が混じり合うため、呼吸による体温調節機能が低下する。殊に、夏場は熱中症の危険性が高まる。また、冬場は外気温が低いので、マスク上部から漏れる湿気で眼鏡が曇ってしまう。
そこで、マスクから 排出された吐気が、眼鏡表面に当って結露するのを防止するため、マスク本体内面の周縁部に、顔と直接接触する凸部と、吐き出した吐気を下方に導く凹部を設けたマスクが提案されている（特許文献１参照）
また、マスク本体を形成する不織布部材の上端部を顔面に対向する内側に所定の幅に少な くとも一回折曲げて帯状の肉厚部を形成し、肉厚部の両側方端部分を不織布部材の内側面に接着し、肉厚部の 中間部分に鼻受け凹部を形成し、肉厚部の中間部分を開いて鼻受け凹部に鼻尖 及び鼻翼を受けるように構成し、使用者の呼気及び吸気は実質的にマスク本体を横切って通過させるマスクが提案されている（特許文献２参照）。
さらに、上記の鼻受け凹部に加えて、装着時に顔面の鼻尖付近に対応するマスク本体を形成する不織布部材の位置に不織布部材 の全幅にわたって伸びる少なくとも一つの呼気上昇防止襞を設けたマスクが提案されている（特許文献３参照）。
【先行技術文献】
【特許文献】
【０００３】
【特許文献１】実用新案登録第３０７５１７８号公報
【特許文献２】実用新案登録第３１８８５５２号公報
【特許文献３】実用新案登録第３１９１２０１号公報
【考案の概要】
【考案が解決しようとする課題】
【０００４】
しかしながら、上記の方法では口から吐き出した呼気（吐気）が鼻からの吸気に混じって肺に入るのを防止することができない。
本考案は、かかる事情に鑑み、マスクを装着したときに、口からの吐気が鼻からの吸気に混じって肺に入るのを防止すると共に、鼻の上部から吐気が漏れて眼鏡が曇るのを抑止することが可能な吐気呼気分離具及びそれが装着されたマスクを提供することを目的とする。
【課題を解決するための手段】
【０００５】
本考案の吐気呼気分離具は、船の形をなし、装着するマスクと上唇との間に挟装して、口からの吐気が鼻からの吸気に混じるのを防止することを特徴とする。
ここで、上記船の形は、切り開いた紙パック又はカートン紙を所定の形に切断して折畳み、折端を所定の切り込み口に差し込んで形成され、船首と船尾が上を向き、湾曲面をなした甲板部分が柔軟部材で覆われたものであって、船底部分を上記マスクに接着し、該甲板部分が上記上唇に当接するように挟装することができる。
その場合、上記船は、船首側と船尾側が開口した中空の船腹部を有し、香料を滲み込ませた軟質部材が収容されることが好ましい。
このように、防水性のある丈夫な紙で船の形をした吐気呼気分離具を作成し、マスクと上唇の間に挟み込めば、口からの吐気が鼻からの吸気に混じるのを防止することができる。また、船に中空の船腹部があれば、香料を滲み込ませた脱脂綿等を収容することができるので、マスクを装着したときに清涼感がある。
さらに、上記船の形は、発泡スチロール又はスポンジで成形され、船首と船尾が上を向き、甲板部分が湾曲面をなしたものであって、船底部分を上記マスクに接着若しくは逢着し、該甲板部分が上記上唇に当接するように挟装することもできる。
このように、発泡スチロール又はスポンジを船の形に成形してもマスクと上唇の間に挟み込めば、口からの吐気が鼻からの吸気に混じるのを防止することができる。
【０００６】
本考案のマスクは、装着したとき、請求項１記載の吐気呼気分離具が上唇に当接する位置に接合されていることを特徴とする。
その場合、上記吐気呼気分離具は、所定の大きさの船底部分と曲面をなした甲板部分とを有するものであって、該甲板部分が上記上唇に当接するように該船底部分を接着又は逢着することとにより接合されたことが好ましい。
【考案の効果】
【０００７】
本考案の吐気呼気分離具をマスクに挟装すれば、鼻からの吸気に、口から吐いた呼気（吐気）が混じるのを防止でき、呼吸による体温調節機能の低下を抑止することや眼鏡が曇るのを防ぐことができる。
【図面の簡単な説明】
【０００８】
【図１】図１は本実施形態の吐気呼気分離具の形状の概念図である。
【図２】図２は本実施形態の吐気呼気分離具をマスクの挟装したときの作用図である。
【図３】図３は吐気呼気分離具を折り畳んで作成する際の型紙の一例を示す図である。
【図４】図４は本実施形態の吐気呼気分離具を示す正面図である。
【図５】図５は本実施形態の吐気呼気分離具を示す平面図である。
【図６】図６は本実施形態の吐気呼気分離具を示す側面図である。
【図７】図７は本実施形態の吐気呼気分離具を示す底面図である。
【図８】図８は、吐気呼気分離具を接合させた本実施形態のマスクの一例を示す図である。
【考案を実施するための形態】
【０００９】
以下に、本考案の吐気呼気分離具、及びその分離具を装着したマスクの実施形態について、図に基いて説明する。
図１及び図２は、本実施形態の吐気呼気分離具を示す図であり、図１は形状の概念図、図２は吐気呼気分離具をマスクの挟装したときの作用図である。
図１に示す本実施形態の吐気呼気分離具１０は、逆さまにした、船の形をしており、船首１と船尾２がゴンドラのように上を向き、甲板部分３は湾曲面をなしている。従って、甲板部分３を上唇９に当てると、船首１と船尾２が頬に当る形状及び大きさをしている。そして船底４から甲板部分３までの高さは、鼻の高さよりも高くなっている。
【００１０】
図２に示すように、顔に装着しているマスク２０に、吐気呼気分離具１０の甲板部分３が上唇９に当接するように挟装すると、口８から吐き出した暖かい湿った空気Ｂは、吐気呼気分離具１０で遮られて、その分離具１０よりも下側から排気される。
一方、鼻７から吸う吸気Ａは、外気から吸いこまれ、口８から吐き出した空気Ｂが混じらない。従って、鼻７からの吸気Ａに、口８からの吐気Ｂが混じって肺に入ることを防止することができる。また、口８からの吐気Ｂは、鼻７の上部から漏れるＣことは稀であり眼鏡が曇るのを抑止できる。
図３は、吐気呼気分離具を折り畳んで作成する際の型紙の一例を示す図である。
図３に示す型紙は、紙の両面にポリエチレンがラミネートされ、強度があり、防水性に優れているカートン紙、又は切り開いた紙パックが用いられる。特に、紙パックは、リサイクルが盛んにおこなわれており、入手が容易である。
型紙３０の大きさは、甲板部分３の長さが８０ｍｍ、最大幅が２０ｍｍ、船底４の長さが３０乃至４０ｍｍ、船底４から甲板部分３までの高さが２５ｍｍ、折端３１の幅が２０ｍｍ、折端３１を差し込む切り込み口３２の長さが２０ｍｍに設定されているが、型紙３０は必ずしもここで示した形態及び大きさに限定されない。
【００１１】
図４から図７は、本実施形態の吐気呼気分離具を示す図であり、図４は正面図、図５は平面図、図６は側面図、図７は底面図である。
図４から図７に示すように、吐気呼気分離具１０は、船の形をなしており、船首１と船尾２は、ゴンドラのように上を向いている。甲板部分３は、ラグビーボールを押しつぶしたような形の湾曲面をなしている。
船腹部分５は、空洞で一方の側に折端３１を差し込む切り込み口３２が設けてある。そして、船首１側と船尾２側の側面は開口している。従って、例えばデオドラントウォーターや香水等の水溶液を滲み込ませた脱脂綿などを船腹部分に収容することができる。
この吐気呼気分離具１０を、顔に装着しているマスク２０の上唇９との間に、甲板部分３を上唇９側に、船底部分４側をマスク２０側に向けて差し込み挟装する。
ここで、吐気呼気分離具１０の少なくとも甲板部分３は、スポンジなどの柔軟な部材を貼付するか、あるいはガーゼなどで覆うと、上唇９に当った際の感触がよくなる。
ここで、本実施形態の吐気呼気分離具１０は、カートン紙、又は切り開いた紙パックを切断して、船の形に折って形成されているが、発泡ポリエチレン又はスポンジを船の形に成形したものであってもよい。但し、その場合は、船腹部分５は。空洞ではないので、デオドラントウォーターや香水等の水溶液を滲み込ませた脱脂綿などを収容することはできない。
【００１２】
図８は、吐気呼気分離具を接合させた本実施形態のマスクの一例を示す図である。
図８に示すマスク２０は、顔に接する面の中央に吐気呼気分離具１０の船底部分４（図に現れない）が両面テープで接着又は糸で逢着されている。従って、マスク２０を顔に装着すると、ラグビーボールを押しつぶしたような形の、湾曲面をなした甲板部分３が上唇９に当接し、口８から吐き出した暖かい湿った空気Ｂは、吐気呼気分離具１０で遮られて、吐気呼気分離具１０よりも下側から排気される。また、吐気呼気分離具１０がカートン紙、又は切り開いた紙パックを切断して、船の形に折って形成されたものであれば、香料を滲み込ませた脱脂綿を収納することができるので、マスク２０を装着したとき、さわやか感がある。
【産業上の利用可能性】
【００１３】
マスクに取り付けることにより、熱中症の抑止効果や眼鏡の曇り止め効果が付加できる。
【符号の説明】
【００１４】
１    船首
２    船尾
３    甲板部分
４    船底部分
５    船腹部分
６    頬
７    鼻
８    口
９    上唇
１０  吐気呼気分離具
２０  マスク
３０  型紙
３１  折端
３２  切り込み口
【図１】
0003229397.tif 000003
【図２】
0003229397.tif 000004
【図３】
0003229397.tif 000005
【図４】
0003229397.tif 000006
【図５】
0003229397.tif 000007
【図６】
0003229397.tif 000008
【図７】
0003229397.tif 000009
【図８】
0003229397.tif 000010
【手続補正書】
【提出日】令和2年9月10日(2020.9.10)
【手続補正１】
【補正対象書類名】実用新案登録請求の範囲
【補正対象項目名】請求項３
【補正方法】変更
【補正の内容】
【請求項３】
前記船の形は、発泡スチロール又はスポンジで成形され、船首と船尾が上を向き、甲板部分が湾曲面をなしたものであって、船底部分を前記マスクに接着若しくは逢着し、該甲板部分が前記上唇に当接するように挟装することを特徴とする請求項１記載の吐気呼気分離具。